(57)【特許請求の範囲】
【請求項１】
先端に設けられた薬液出入口および後端に設けられた開口を有するバレルと、
先端側に設けられて前記バレルの内周面と摺動するガスケット部、
後端に設けられたフランジ部、および、該ガスケット部と該フランジ部とを結ぶ軸部を含むプランジャとを備え、
前記プランジャは、前記軸部の外周側に付設されて目盛が付された補助目盛部材をさらに含み、
前記目盛においては、前記バレルの後端と重なる目盛が、前記バレルの内部に収容されている薬液量または前記バレルの内部に収容された薬液の投与量を表示するように付されており、
前記軸部の少なくとも一部は、軸心から放射状に突出した互いに直交する２つの板状部を含み、
前記補助目盛部材は、前記２つの板状部のうちの一方の板状部において、前記軸部の径方向の端部に設けられており、
前記補助目盛部材は、前記一方の板状部と交差するように設けられており、
前記補助目盛部材と前記フランジ部との間に、前記軸部を挟持可能とする隙間が設けられている、シリンジ。
【請求項２】
前記補助目盛部材において、前記目盛が付されている面が、前記バレルの前記内周面に沿うように湾曲している、請求項１に記載のシリンジ。
【請求項３】
前記プランジャが２つの前記補助目盛部材を含み、
２つの前記補助目盛部材は、前記軸部の径方向において互いに反対側にそれぞれ設けられている、請求項１または２に記載のシリンジ。
【請求項４】
前記補助目盛部材が、前記軸部の周方向において略半周に亘って設けられている、請求項１または２に記載のシリンジ。
【発明の詳細な説明】
【技術分野】
【０００１】
本発明は、シリンジに関する。
【背景技術】
【０００２】
バレルおよびプランジャの各々に目盛を設けたシリンジを開示した先行文献として、特開２００８−９９８６２号公報(特許文献１)がある。特許文献１に記載されたシリンジは、バレルと、バレル内を摺動自在に形成されたプランジャと、プランジャの外周に嵌装されバレルの後端に衝止することによりプランジャのバレルへの挿入を規制するストッパとを備える。
【先行技術文献】
【特許文献】
【０００３】
【特許文献１】特開２００８−９９８６２号公報
【発明の概要】
【発明が解決しようとする課題】
【０００４】
特許文献１に記載されたシリンジは、薬液を予め充填したいわゆるプレフィルドタイプのシリンジであり、プランジャの外周面に設けられた目盛は薬液の投与量を表示している。プレフィルドタイプ以外のシリンジにおいては、所望の液量の薬液を吸入する必要がある。【０００５】
一般的なシリンジにおいて所望の液量の薬液を吸入する際には、バレルに設けられた目盛を見ながらプランジャを引いて薬液を吸入する。この時、バレルを把持しているため、目盛が手で隠れて見え難くなることがある。この場合、所望の液量の薬液を吸入することが困難となる。【０００６】
ディスポーザブルシリンジにおいては、薬液が吸入された後のバイアルに貼られていたラベルから切り取られた薬液名表示部が、バレルの表面に貼り付けられることにより、誤投与の防止が図られることがある。そのため、バレルに設けられた目盛が、薬液名表示部によって覆われて見え難くなることがある。この場合、所望の液量の薬液を投与することが困難となる。【０００７】
特許文献１に記載されたシリンジは、プレフィルドタイプのシリンジであるため、所望の液量の薬液を吸入することについては考慮されていない。また、特許文献１に記載されたシリンジは、略円柱状のプランジャを有している。そのため、片手でシリンジを把持して薬液を吸入しようとした場合、手が滑りやすく薬液を吸入することが困難である。【０００８】
本発明は上記の問題点に鑑みてなされたものであって、所望の液量の薬液を吸入または投与可能であり、かつ、片手で把持した状態で薬液を容易に吸入できる、シリンジを提供することを目的とする。
【課題を解決するための手段】
【０００９】
本発明に基づくシリンジは、先端に設けられた薬液出入口および後端に設けられた開口を有するバレルと、先端側に設けられてバレルの内周面と摺動するガスケット部、後端に設けられたフランジ部、および、ガスケット部とフランジ部とを結ぶ軸部を含むプランジャとを備える。プランジャは、軸部の外周側に付設されて目盛が付された補助目盛部材をさらに含む。上記目盛においては、バレルの後端と重なる目盛が、バレルの内部に収容されている薬液量またはバレルの内部に収容された薬液の投与量を表示するように付されている。【００１０】
本発明の一形態においては、軸部の少なくとも一部は、軸心から放射状に突出した板状部を含む。【００１１】
本発明の一形態においては、補助目盛部材とフランジ部との間に、軸部を挟持可能とする隙間が設けられている。【００１２】
本発明の一形態においては、補助目盛部材において、目盛が付されている面が、バレルの内周面に沿うように湾曲している。【００１３】
本発明の一形態においては、プランジャが２つの補助目盛部材を含む。２つの補助目盛部材は、軸部の径方向において互いに反対側にそれぞれ設けられている。【００１４】
本発明の一形態においては、補助目盛部材が、軸部の周方向において略半周に亘って設けられている。
【発明の効果】
【００１５】
本発明によれば、所望の液量の薬液を吸入または投与可能であり、かつ、片手で把持した状態で薬液を容易に吸入できる。
【図面の簡単な説明】
【００１６】
【図１】本発明の実施形態１に係るシリンジにおいてプランジャが引かれた状態を示す斜視図である。
【図２】図１のシリンジを矢印ＩＩ方向から見た図である。
【図３】図１のシリンジを矢印ＩＩＩ方向から見た図である。
【図４】本発明の実施形態１に係るシリンジにおいてプランジャが押し込まれた状態を示す斜視図である。
【図５】図４のシリンジを矢印Ｖ方向から見た図である。
【図６】プランジャが引かれる前の本発明の実施形態１に係るシリンジを片手で把持した状態を示す斜視図である。
【図７】本発明の実施形態１に係るシリンジにおいてプランジャを片手で引いた状態を示す斜視図である。
【図８】本変形例に係るシリンジにおいてプランジャが引かれた状態を示す斜視図である。
【図９】図８のシリンジを矢印ＩＸ方向から見た図である。
【図１０】本変形例に係るシリンジにおいてプランジャが押し込まれた状態を示す斜視図である。
【図１１】本発明の実施形態２に係るシリンジにおいてプランジャが引かれた状態を示す斜視図である。
【図１２】図１１のシリンジを矢印ＸＩＩ方向から見た図である。
【図１３】本発明の実施形態２に係るシリンジにおいてプランジャが押し込まれた状態を示す斜視図である。
【図１４】本発明の実施形態３に係るシリンジにおいてプランジャが引かれた状態を示す斜視図である。
【図１５】本発明の実施形態３に係るシリンジにおいてプランジャが押し込まれた状態を示す斜視図である。
【発明を実施するための形態】
【００１７】
以下、本発明の各実施形態に係るシリンジについて図面を参照して説明する。以下の実施形態の説明においては、図中の同一または相当部分には同一符号を付して、その説明は繰り返さない。
【００１８】
(実施形態１)
図１は、本発明の実施形態１に係るシリンジにおいてプランジャが引かれた状態を示す斜視図である。図２は、図１のシリンジを矢印ＩＩ方向から見た図である。図３は、図１のシリンジを矢印ＩＩＩ方向から見た図である。図４は、本発明の実施形態１に係るシリンジにおいてプランジャが押し込まれた状態を示す斜視図である。図５は、図４のシリンジを矢印Ｖ方向から見た図である。
【００１９】
図１〜５に示すように、本発明の実施形態１に係るシリンジ１００は、バレル１１０とプランジャ１２０とを備える。バレル１１０は、内部に薬液を収容する円筒状の収容部１１１を有する。バレル１１０の先端には、薬液出入口１１２が設けられている。バレル１１０の後端には、開口１１５が設けられている。バレル１１０の外周面には、第１目盛１１６が付されている。
【００２０】
具体的には、収容部１１１の先端側において、注射針などが取り付け可能な薬液出入口１１２が設けられている。収容部１１１の後端側において、収容部１１１の軸心と互いに垂直である後端面１１４を有するフランジ１１３が、開口１１５の周囲に設けられている。収容部１１１の外周面に、第１目盛１１６が付されている。
【００２１】
バレル１１０は、ポリプロピレンなどの透明または半透明の樹脂にて構成されている。バレル１１０の内周面には、シリコーンオイルなどの潤滑油が塗布されている。
【００２２】
プランジャ１２０の先端側には、バレル１１０の内周面と摺動するガスケット部１２２が設けられている。プランジャ１２０の後端には、フランジ部１２３が設けられている。プランジャ１２０は、ガスケット部１２２とフランジ部１２３とを結ぶ軸部１２１を含む。プランジャ１２０は、軸部１２１の外周側に付設されて第２目盛１２６が付された補助目盛部材１２５をさらに含む。
【００２３】
具体的には、ガスケット部１２２は、収容部１１１の内径より僅かに大きい外径を有する。ガスケット部１２２は、加硫ゴムまたは熱可塑性エラストマなどの弾性体で構成されている。ガスケット部１２２は、収容部１１１内に挿入された状態で、収容部１１１の内周面と全周に亘って密着する。ガスケット部１２２の先端には、軸部１２１の軸心と互いに垂直である先端面１２４が形成されている。
【００２４】
本実施形態においては、軸部１２１、フランジ部１２３および補助目盛部材１２５は、ポリプロピレンなどの樹脂を射出成形することにより一体で構成されている。ただし、軸部１２１とフランジ部１２３とが一体で構成され、軸部１２１に別体の補助目盛部材１２５が取り付けられていてもよい。
【００２５】
軸部１２１の少なくとも一部は、軸心から放射状に突出した板状部を含む。本実施形態においては、軸部１２１は、互いに直交する２つの板状部１２１ａ，１２１ｂから構成されて、横断面にて略十字形状を有する。
【００２６】
軸部１２１の少なくとも一部を横断面にて略十字形状とすることにより、使用する樹脂材料を削減しつつ軸部１２１の剛性を確保して、バレル１１０の内部に押し込まれる際のプランジャ１２０の変形を抑制することができる。
【００２７】
ただし、軸部１２１の形状は、上記に限られず、バレル１１０の内部に押し込まれる際のプランジャ１２０の変形を抑制可能な形状であればよい。たとえば、軸部１２１の少なくとも一部が、横断面にて星印形状を有していてもよい。軸部１２１の先端は、ガスケット部１２２の後端と接続されている。
【００２８】
フランジ部１２３には、滑り止め用の複数の凹部または凸部が互いに間隔を置いて設けられている。本実施形態においては、フランジ部１２３の直径は、収容部１１１の内径より僅かに大きい。
【００２９】
本実施形態においては、補助目盛部材１２５は、軸部１２１を構成する２つの板状部のうちの一方の板状部１２１ａにおいて、軸部１２１の径方向の一方の端部に設けられている。また、補助目盛部材１２５は、２つの板状部のうちの他方の板状部１２１ｂと対向するように設けられている。補助目盛部材１２５とフランジ部１２３との間に、軸部１２１を挟持可能とする隙間１２９が設けられている。
【００３０】
補助目盛部材１２５において、第２目盛１２６が付されている面は、バレル１１０の内周面に沿うように湾曲している。ただし、補助目盛部材１２５において、第２目盛１２６が付されている面が平坦面であってもよい。
【００３１】
本実施形態に係るシリンジ１００においては、薬液を吸入する際に、バレル１１０に設けられた第１目盛１１６およびプランジャ１２０に設けられた第２目盛１２６のいずれか見易い方の目盛を視認して、バレル１１０内に吸入した薬液の液量を確認できる。
【００３２】
具体的には、第１目盛１１６においては、ガスケット部１２２の先端面１２４と重なる目盛が、バレル１１０の内部に収容されている薬液量を表示するように付されている。第２目盛１２６においては、バレル１１０のフランジ１１３の後端面１１４と重なる目盛が、バレル１１０の内部に収容されている薬液量を表示するように付されている。
【００３３】
たとえば、図２においては、第１目盛１１６におけるガスケット部１２２の先端面１２４と重なる目盛は１０ｍｌであり、第２目盛１２６におけるフランジ１１３の後端面１１４と重なる目盛も１０ｍｌである。この状態においては、バレル１１０の内部に薬液が１０ｍｌ収容されている。
【００３４】
図５においては、第１目盛１１６におけるガスケット部１２２の先端面１２４と重なる目盛は０ｍｌであり、第２目盛１２６におけるフランジ１１３の後端面１１４と重なる目盛も０ｍｌである。この状態においては、バレル１１０の内部に薬液が０ｍｌ収容されている。すなわち、バレル１１０の内部に薬液が収容されていない状態である。
【００３５】
このように、本実施形態に係るシリンジ１００においては、薬液を吸入する際に、見易い方の目盛を視認して吸入した薬液の液量を確認できることにより、所望の液量の薬液を吸入できる。
【００３６】
また、補助目盛部材１２５が軸部１２１の外周側に付設されていることにより、第２目盛１２６とフランジ１１３の後端面１１４とが接近し、両者が重なった位置の目盛が読み易くなる。
【００３７】
補助目盛部材１２５において、第２目盛１２６が付されている面が、バレル１１０の内周面に沿うように湾曲していることにより、第２目盛１２６とフランジ１１３の後端面１１４とがさらに接近し、両者が重なった位置の目盛がより読み易くなる。
【００３８】
上記のように、第２目盛１２６とフランジ１１３の後端面１１４とが重なった位置の目盛が読み易くなることにより、シリンジ１００を用いて薬液を吸入する際に、所望の液量の薬液を吸入できるようになる。本実施形態においては、第１目盛１１６と第２目盛１２６とは、同一の目幅を有しているが、互いに異なる目幅を有していてもよい。
【００３９】
次に、本実施形態に係るシリンジ１００を片手で把持した状態で薬液を吸入する方法について説明する。図６は、プランジャが引かれる前のシリンジを片手で把持した状態を示す斜視図である。図７は、プランジャを片手で引いた状態を示す斜視図である。
【００４０】
図６に示すように、プランジャ１２０が引かれる前のシリンジ１００を片手９００で把持する際には、フランジ１１３とフランジ部１２３との間に、中指９３０および薬指９４０を入れて、薬指９４０の内側と小指９５０の外側とで輪を作り、その輪をフランジ部１２３に引っ掛けた状態にする。さらに、親指９１０をフランジ１１３に押し当て、人差し指９２０を軽く収容部１１１に当ててバレル１１０を挟み持つ。
【００４１】
図７に示すように、親指９１０でフランジ１１３を突き上げるようにしてバレル１１０とプランジャ１２０とを引き離すことにより、バレル１１０からプランジャ１２０を引くことができる。この状態において、バレル１１０のフランジ１１３の後端面１１４と重なる第２目盛１２６は、手に覆われておらず視認可能である。このようにして、本実施形態に係るシリンジ１００は、片手で把持した状態で所望の液量の薬液を容易に吸入できる。仮に、プランジャが円柱状の外形を有している場合、片手で把持した状態でプランジャを引くと、手とプランジャとの引っ掛かりが不十分であるために、手が滑りやすく薬液を吸入することが困難である。
【００４２】
また、上記のように、補助目盛部材１２５とフランジ部１２３との間に、軸部１２１を挟持可能とする隙間１２９が設けられているため、薬指９４０の内側と小指９５０の外側とで軸部１２１を挟持することができる。その結果、薬指９４０の内側と小指９５０の外側とで作られた輪にフランジ部１２３をしっかりと引っ掛けることができるため、プランジャ１２０を引く際に片手９００が滑ることをより確実に抑制できる。
【００４３】
以下、本実施形態に係るシリンジ１００の変形例について説明する。なお、本変形例に係るシリンジ１００ａは、補助目盛部材１２５ａの形状のみ、実施形態１に係るシリンジ１００と異なるため、他の構成については説明を繰り返さない。
【００４４】
図８は、本変形例に係るシリンジにおいてプランジャが引かれた状態を示す斜視図である。図９は、図８のシリンジを矢印ＩＸ方向から見た図である。図１０は、本変形例に係るシリンジにおいてプランジャが押し込まれた状態を示す斜視図である。
【００４５】
図８〜１０に示すように、本変形例に係るシリンジ１００ａにおいては、補助目盛部材１２５ａが、軸部１２１の周方向において略半周に亘って設けられている。図９に示すように、補助目盛部材１２５ａは、略半円筒形状を有している。補助目盛部材１２５ａの先端は、ガスケット部１２２の後端と接している。
【００４６】
本変形例に係るシリンジ１００ａにおいては、軸部１２１は、フランジ部１２３と補助目盛部材１２５ａとの間においてのみ、互いに直交する２つの板状部１２１ａ，１２１ｂから構成されている。
【００４７】
具体的には、２つの板状部のうちの一方の板状部１２１ａのみ、軸部１２１の先端から後端に亘って設けられている。２つの板状部のうちの他方の板状部１２１ｂは、フランジ部１２３と補助目盛部材１２５ａとの間にのみ設けられている。補助目盛部材１２５ａの内側には、２つの板状部のうちの一方の板状部１２１ａと直交する複数の仕切板部１２１ｃが、互いに間隔を置いて設けられている。
【００４８】
本変形例に係るシリンジ１００ａにおいては、プランジャ１２０が上記の形状を有していることにより、実施形態１に係るシリンジ１００のプランジャ１２０より高い剛性を有している。そのため、本変形例に係るシリンジ１００ａにおいては、バレル１１０の内部に押し込まれる際のプランジャ１２０の変形を、実施形態１に係るシリンジ１００より抑制することができる。その結果、薬液出入口１１２からより安定して薬液を投与することができる。
【００４９】
以下、本発明の実施形態２に係るシリンジについて説明する。なお、本発明の実施形態２に係るシリンジ２００は、２つの補助目盛部材１２５が設けられている点のみ、実施形態１に係るシリンジ１００と異なるため、他の構成については説明を繰り返さない。
【００５０】
(実施形態２)
図１１は、本発明の実施形態２に係るシリンジにおいてプランジャが引かれた状態を示す斜視図である。図１２は、図１１のシリンジを矢印ＸＩＩ方向から見た図である。図１３は、本発明の実施形態２に係るシリンジにおいてプランジャが押し込まれた状態を示す斜視図である。
【００５１】
図１１〜１３に示すように、本発明の実施形態２に係るシリンジ２００においては、プランジャ１２０が２つの補助目盛部材１２５を含む。２つの補助目盛部材１２５は、軸部１２１の径方向において互いに反対側にそれぞれ設けられている。
【００５２】
具体的には、２つの補助目盛部材１２５は、軸部１２１を構成する２つの板状部のうちの一方の板状部１２１ａにおいて、軸部１２１の径方向の両端部にそれぞれ設けられている。また、２つの補助目盛部材１２５は、２つの板状部のうちの他方の板状部１２１ｂとそれぞれ対向するように設けられている。
【００５３】
本実施形態に係るシリンジ２００においては、プランジャ１２０が２つの補助目盛部材１２５を備えているため、薬液を吸入する際に、見易い方の第２目盛１２６を視認して吸入した薬液の液量を確認できる。その結果、本実施形態に係るシリンジ２００は、実施形態１に係るシリンジ１００と比較して、より容易に、所望の液量の薬液を吸入できる。
【００５４】
以下、本発明の実施形態３に係るシリンジについて説明する。なお、本発明の実施形態３に係るシリンジ３００は、補助目盛部材の第２目盛のみ、実施形態１に係るシリンジ１００と異なるため、他の構成については説明を繰り返さない。
【００５５】
(実施形態３)
図１４は、本発明の実施形態３に係るシリンジにおいてプランジャが引かれた状態を示す斜視図である。図１５は、本発明の実施形態３に係るシリンジにおいてプランジャが押し込まれた状態を示す斜視図である。
【００５６】
図１４，１５に示すように、本発明の実施形態３に係るシリンジ３００においては、プランジャ３２０の補助目盛部材１２５の第２目盛３２６においては、バレル１１０のフランジ１１３の後端面１１４と重なる目盛が、バレル１１０の内部に収容された薬液の投与量を表示するように付されている。
【００５７】
たとえば、図１４においては、第２目盛３２６におけるフランジ１１３の後端面１１４と重なる目盛は２ｍｌである。この状態においては、バレル１１０の内部に収容された１２ｍｌの薬液のうちの２ｍｌが投与されている。図１５においては、第２目盛３２６におけるフランジ１１３の後端面１１４と重なる目盛は１２ｍｌである。この状態においては、バレル１１０の内部に収容された１２ｍｌの薬液のうちの１２ｍｌが投与されている。すなわち、バレル１１０の内部に収容された薬液の全てが投与された状態である。
【００５８】
本実施形態に係るシリンジ３００においては、第１目盛１１６は、バレル１１０の内部に収容されている薬液量を表示するように付され、第２目盛３２６は、バレル１１０の内部に収容された薬液の投与量を表示するように付されている。
【００５９】
よって、本実施形態に係るシリンジ３００においては、薬液を吸入する際には、第１目盛１１６を視認して吸入した薬液の液量を確認でき、薬液を投与する際には、第２目盛３２６を視認して投与した薬液の液量を確認できる。なお、必ずしもバレル１１０に第１目盛１１６が付されていなくてもよい。
【００６０】
このように、本実施形態に係るシリンジ３００においては、薬液を投与する際に、第２目盛３２６を視認して投与した薬液の液量を確認できることにより、所望の液量の薬液を投与できる。
【００６１】
なお、今回開示した上記実施形態はすべての点で例示であって、限定的な解釈の根拠となるものではない。したがって、本発明の技術的範囲は、上記した実施形態のみによって解釈されるものではなく、請求の範囲の記載に基づいて画定される。また、請求の範囲と均等の意味および範囲内でのすべての変更が含まれる。
【符号の説明】
【００６２】
１００，１００ａ，２００，３００  シリンジ、１１０  バレル、１１１  収容部、１１２  薬液出入口、１１３  フランジ、１１４  後端面、１１５  開口、１１６  第１目盛、１２０，３２０  プランジャ、１２１  軸部、１２１ａ，１２１ｂ  板状部、１２１ｃ  仕切板部、１２２  ガスケット部、１２３  フランジ部、１２４  先端面、１２５，１２５ａ  補助目盛部材、１２６，３２６  第２目盛、１２９  隙間、９００  片手、９１０  親指、９２０  人差し指、９３０  中指、９４０  薬指、９５０  小指。
【図１】
0006520926.tif 000002
【図２】
0006520926.tif 000003
【図３】
0006520926.tif 000004
【図４】
0006520926.tif 000005
【図５】
0006520926.tif 000006
【図６】
0006520926.tif 000007
【図７】
0006520926.tif 000008
【図８】
0006520926.tif 000009
【図９】
0006520926.tif 000010
【図１０】
0006520926.tif 000011
【図１１】
0006520926.tif 000012
【図１２】
0006520926.tif 000013
【図１３】
0006520926.tif 000014
【図１４】
0006520926.tif 000015
【図１５】
0006520926.tif 000016